(57)【要約】【課題】  外壁パネルを構造躯体に取り付ける際の位置調整作業の作業効率を向上させることができる外壁パネル接合構造およびその施工方法を提供する。【解決手段】  本発明の外壁パネル接合構造Ｋは、外壁パネル１をファスナー２を用いて構造躯体に接合する外壁パネル接合構造Ｋであって、外壁パネル１のレベルを調整するレベル調整ボルト１１先端の水平方向の位置ずれを防止するずれ防止手段２０を備えてなるものとされ、外壁パネル１のレベルをずれ防止手段２０により、レベル調整ボルト１１先端の水平方向の位置ずれを防止しながら外壁パネル１を構造躯体に接合するものである。【選択図】  図１
2006097351.tif 000002
【特許請求の範囲】
【請求項１】
外壁パネルをファスナーを用いて構造躯体に接合する外壁パネル接合構造であって、
外壁パネルのレベルを調整するレベル調整ボルト先端の水平方向の位置ずれを防止するずれ防止手段を備えてなることを特徴とする外壁パネル接合構造。
【請求項２】
ずれ防止手段が、レベル調整ボルトの先端が係合される透孔を有する水平位置固定用プレートとされ、該プレートがファスナーの躯体接続部に仮固定され、レベル調整時に台座に固定されてなることを特徴とする請求項１記載の外壁パネル接合構造。
【請求項３】
外壁パネルをファスナーを用いて構造躯体に接合する外壁パネル接合構造の施工方法であって、
外壁パネルの水平方向の位置を調整する手順と、
外壁パネルのレベルをずれ防止手段により、レベル調整ボルト先端の水平方向の位置ずれを防止しながらなす手順
とを含んでいることを特徴とする外壁パネル接合構造の施工方法。
【請求項４】
ずれ防止手段が、レベル調整ボルトの先端が係合される透孔を有する水平位置固定用プレートとされ、
前記プレートをファスナーの躯体接続部に仮固定する手順と、
前記プレートをレベル調整時に台座に固定する手順
とを含んでいることを特徴とする請求項３記載の外壁パネル接合構造の施工方法。
【発明の詳細な説明】
【技術分野】
【０００１】
本発明は、外壁パネル接合構造およびその施工方法に関する。さらに詳しくは、外壁パネルのレベル調整が容易になし得る外壁パネル接合構造およびその施工方法に関する。
【背景技術】
【０００２】
一般に、カーテンウォール構造による建物では、外壁パネルを鉄骨梁等の構造躯体に取り付けるために外壁パネル用ファスナーを使用する。これらファスナーを使用した接合構造は、図５に示すように、鉄骨梁１０１に、ファスナー台座受１０２、コンクリート止めアングル１０３および台座１０４を取り付け、台座１０４の上で、外壁パネル１０５のパネルフレーム１０６と連結されるファスナー１０７を位置調整可能なように支承するものとされる。
【０００３】
ここで、ファスナー１０７の上下方向の位置調整は、ファスナー１０７の躯体接続部１０７ａに螺合し、かつ台座１０４に軸先端が当接するレベル調整ボルト１０８の進退によりなされものとされる。つまり、レベル調整ボルト１０８の軸先端が台座１０４に当接し、その状態でレベル調整ボルト１０８を回転することにより外壁パネル１０５の上下方向位置調整がなされる。
【０００４】
ところが、レベル調整ボルト１０８により位置調整を実行する際に、その回転の摩擦力によってファスナー１０７の位置が水平方向に移動してしまうことがあり、外壁パネル１０５の水平方向（建物内外方向および左右方向）の位置調整が予めなされている場合（通常水平方向が先に位置決めされる）には、上下方向の位置調整を終えてから水平方向の位置調整を再度行う必要が生じ、調整作業が効率的に行えないといった問題がある。
【発明の開示】
【発明が解決しようとする課題】
【０００５】
本発明はかかる従来技術の課題に鑑みなされたものであって、外壁パネルを構造躯体に取り付ける際の位置調整作業の作業効率を向上させることができる外壁パネル接合構造およびその施工方法を提供することを目的としている。
【課題を解決するための手段】
【０００６】
本発明の外壁パネル接合構造は、外壁パネルをファスナーを用いて構造躯体に接合する外壁パネル接合構造であって、外壁パネルのレベルを調整するレベル調整ボルト先端の水平方向の位置ずれを防止するずれ防止手段を備えてなることを特徴とする。
【０００７】
本発明の外壁パネル接合構造においては、ずれ防止手段が、レベル調整ボルトの先端が係合される透孔を有する水平位置固定用プレートとされ、該プレートがファスナーの躯体接続部に仮固定され、レベル調整時に台座に固定されてなるのが好ましい。
【０００８】
本発明の外壁パネル接合構造の施工方法は、外壁パネルをファスナーを用いて構造躯体に接合する外壁パネル接合構造の施工方法であって、外壁パネルの水平方向の位置を調整する手順と、外壁パネルのレベルをずれ防止手段により、レベル調整ボルト先端の水平方向の位置ずれを防止しながらなす手順とを含んでいることを特徴とする。
【０００９】
本発明の外壁パネル接合構造の施工方法においては、ずれ防止手段が、レベル調整ボルトの先端が係合される透孔を有する水平位置固定用プレートとされ、前記プレートをファスナーの躯体接続部に仮固定する手順と、前記プレートをレベル調整時に台座に固定する手順とを含んでいるのが好ましい。
【発明の効果】
【００１０】
本発明によれば、レベル調整時に外壁パネルの水平方向の位置ずれが阻止し得るので、再調整の必要がなく取付位置調整作業の効率が向上する。
【発明を実施するための最良の形態】
【００１１】
以下、添付図面を参照しながら本発明を実施形態に基づいて説明するが、本発明はかかる実施形態のみに限定されるものではない。
【００１２】
図１に、本発明の一実施形態に係る外壁パネル接合構造の要部を一部断面図により示す。
【００１３】
外壁パネル接合構造Ｋは、上下に並ぶ外壁パネル１の下端部および上端部を、ファスナー２により構造躯体としての鉄骨梁３に取り付けるに際し、外壁パネルのレベル調整が容易である接合構造とされる。
【００１４】
外壁パネル１は、タイル１ａにより表面の仕上げがなされた面材１ｂと、面材１ｂの裏面に取り付けられたパネルフレーム１ｃとからなる。ここで、上下の外壁パネル１，１の面材１ｂ，１ｂ間の目地（横目地）は、レインバリア１ｄおよびウインドバリア１ｅにより止水、止風される。
【００１５】
ファスナー２は、上側外壁パネル１のパネルフレーム１ｃの下端部および下側外壁パネル１のパネルフレーム１ｃの上端部とボルト止めされるパネル接続部２ａと、レベル調整ボルト１１、台座１２、コンクリート止めＬ字型部材、例えばアングル１３および台座受け１４を介して鉄骨梁３と接続される躯体接続部２ｂとが一体的に形成されてなるものとされる。
【００１６】
レベル調整ボルト１１は、ファスナー２の躯体接続部２ｂに貫設された雌ネジ孔２ｃと螺合し、軸部先端面（下端面）１１ａが台座１２と当接した状態で鉛直上下方向に進退し、これによってファスナー２の鉛直上下方向の位置、つまり外壁パネル１の上下方向の位置（レベル）を調整するものとされる。ここで、台座１２の上面には、レベル調整ボルト１１の先端部と係合して、レベル調整ボルト１１が位置調整時に水平方向に移動するのを阻止する水平位置固定用プレート（ずれ防止手段。以下、単にプレートという）２０が設けられるものとされる。
【００１７】
すなわち、プレート２０には、レベル調整ボルト１１先端部が遊嵌される係合孔２１が貫設されており、レベル調整ボルト１１は、プレート２０の係合孔２１を通して軸部先端面１１ａを台座１２と当接するものとされる。
【００１８】
また、プレート２０は、レベル調整ボルト１１による位置調整時には、例えば溶接により台座１２上面に固定される一方、位置調整を実施する前の段階では、図３に示すように、係合孔２１にレベル調整ボルト１１が所定長さ挿通された状態で磁石２２によりファスナー２の躯体接続部２ｂに付設されるものとされる。
【００１９】
以下、かかる構成とされている外壁パネル接合構造Ｋの施工手順を説明する。
【００２０】
手順１：ファスナー２を下側外壁パネル１に先付けし、その状態で下側外壁パネル１を所定位置に設置する。このとき、プレート２０は、レベル調整ボルト１１が係合孔２１に所定長さ挿通された状態で、磁石２２によりファスナー２の躯体接続部２ｂに付設されている。
【００２１】
手順２：下側外壁パネル１の水平方向（建物内外方向および左右方向）の位置を調整する。水平方向の位置調整は、公知の手法による。
【００２２】
手順３：水平方向の位置調整が終了した後、レベル調整ボルト１１の軸部先端面１１ａが台座１２の上面に軽く当接する位置まで降りるようにボルト１１を回転する。
【００２３】
手順４：プレート２０を躯体接続部２ｂから取り外し、ボルト１１軸部を係合孔２１に挿通したままの状態で溶接によりプレート２０を台座２０に固定する。
【００２４】
手順５：外壁パネル１の上下方向の位置（レベル）が所望位置となるように、レベル調整ボルト１１を回転する。
【００２５】
このように、実施形態の外壁パネル接合構造Ｋは、レベル調整ボルト１１先端部が台座１２に取り付けられる水平位置固定用プレート２０と係合した状態で外壁パネル１の上下方向の位置を調整するものとされる。したがって、外壁パネル１の水平方向位置が上下位置調整時にずれることがなく、位置調整作業の効率を向上させることができる。
【００２６】
また、プレート２０は、例えば磁石２２によりファスナー２に付設されるものであるために、ファスナー２として従来のファスナーを用いればよく、コスト増大が抑制される。
【００２７】
また、従来、レベル調整ボルト１１による位置調整時のずれを抑制するために先丸形状のボルトを用いることが多い。ところが、この場合にも水平方向のずれは完全には阻止し得ないとともに、ボルトが特殊品であることによるコスト増大を招く。これに対して、実施形態の外壁パネル接合構造Ｋによれば単価の安い平先のボルトを用いることができるので、コスト削減を図ることができる。
【００２８】
また、プレート２０は、ファスナー２に磁石２２で付設されるものであるために、ファスナー２から取り外して直ちに使用することができる。したがって、作業効率がさらに向上する。
【００２９】
実施形態２
図４に、本発明の実施形態２を示す。実施形態２は実施形態１を改変したものであり、水平位置固定用プレートとして両面テープ２２Ａによりファスナー２に付設されるプレート２０Ａを用いてなるものとされる。これにより、水平方向のずれ防止手段をさらに安価な構成でファスナー２に付設することができる。
【００３０】
なお、両面テープ２２Ａに代えて、ガムテープにより水平位置固定用プレートをファスナー２に付設したり、養生テープ（コンクリート養生時に仮止めするためのテープ）により付設したりすることも可能である。
【産業上の利用可能性】
【００３１】
本発明は、ファスナーを用いて外壁パネルを構造躯体に接合する構成に適用できる。
【図面の簡単な説明】
【００３２】
【図１】本発明の実施形態１に係る外壁パネル接合構造の概略構成を示す一部断面図である。
【図２】同構造の要部を模式化して示す斜視図である。
【図３】図２と同様の図であり、位置調整前の状態を示す斜視図である。
【図４】実施形態２の外壁パネル接合構造の要部を示す図であり、同（ａ）は、一部断面図、同（ｂ）は、水平位置固定用プレートの斜視図である。
【図５】従来の外壁パネル接合構造の一例を示す一部断面図である。
【符号の説明】
【００３３】
Ｋ    外壁パネル接合構造
１    外壁パネル
２    ファスナー
３    鉄骨梁
１１    レベル調整ボルト
１２    ファスナー台座
２０    水平位置固定用プレート（ずれ防止手段）
２１    係合孔
２２    磁石
【図１】
2006097351.tif 000003
【図２】
2006097351.tif 000004
【図３】
2006097351.tif 000005
【図４】
2006097351.tif 000006
【図５】
2006097351.tif 000007